(57)【要約】【課題】ガスが消費されている時間帯又は消費電力量が多い時間帯での燃料電池の停止を回避する。【解決手段】系統電力１２が供給される住宅１０に設置され、住宅１０に供給される可燃性のガスを燃料とするＳＯＦＣ７０と、住宅１０で消費される電力を検知するための電流センサ２２Ａ〜２２Ｃと、ガスの流量を検知するガスメータ１３２と、ＳＯＦＣ７０を制御するＨＥＭＳ３０とを備える。ＨＥＭＳ３０は、電流センサ２２Ａ〜２２Ｃ及びガスメータ１３２が検知した結果に基づく電力及びガスの使用履歴を記憶し、当該使用履歴から電力の消費量が少なくなる時又はガスの消費がなくなる時を各々複数予測し、予測した時のうち選択されたいずれか１つにおいて、ＳＯＦＣ７０を停止させ、当該停止後にＳＯＦＣ７０を作動させる。【選択図】図１
2014183016.tif 000002
【特許請求の範囲】
【請求項１】
系統電力が供給される住宅に設置され、前記住宅に供給される可燃性のガスを燃料とする燃料電池と、
前記住宅で消費される電力及びガスを検知する検知手段と、
前記検知手段が検知した電力の消費量及びガスの消費量を電力及びガスが消費された年月日時と共に累積的に記憶する記憶手段と、
前記記憶手段に累積的に記憶されている電力の消費量及びガスの消費量並びに電力及びガスが消費された年月日時に基づいて電力の消費量が少なくなる時又はガスの消費がなくなる時を各々複数予測する予測手段と、
前記予測された複数の時を表示する表示手段と、
前記表示手段に表示された複数の時から１つの時を選択する操作が可能な入力手段と、
前記入力手段によって選択された時で前記燃料電池を停止させ、該停止後に前記燃料電池を作動させる制御手段と、
を備えた燃料電池発電システム。
【請求項２】
前記制御手段は、前記入力手段によって選択された時で前記燃料電池を停止させた後、該停止後から所定の時間の経過後に前記燃料電池を作動させる請求項１に記載の燃料電池発電システム。
【請求項３】
前記制御手段は、前記入力手段によってガスの消費がなくなる時が選択され、該選択された時で前記燃料電池を停止させた後、前記所定の時間の経過前に前記リセット信号を受信した場合に前記燃料電池を作動させる請求項２に記載の燃料電池発電システム。
【請求項４】
前記表示手段は、前記予め定められた期間連続して燃料電池が運転された場合に前記燃料電池を停止するように設定される自動停止予定日を表示し、
前記予測手段は、前記ガスの供給を停止する時よりも前の時を前記電力の消費量又はガスの消費がなくなる時として予測する請求項３に記載の燃料電池発電システム。
【請求項５】
前記制御手段は、前記入力手段によって電力の消費量又はガスの消費がなくなる時が選択されない場合には、前記自動停止日に前記燃料電池を停止させる請求項３又は４に記載の燃料電池発電システム。
【発明の詳細な説明】
【技術分野】
【０００１】
本発明は、住宅に電力を供給する燃料電池を制御する燃料電池発電システムに関する。
【背景技術】
【０００２】
固体酸化物型燃料電池（ＳＯＦＣ：Solid Oxide Fuel Cell）は燃料電池の中でも高い発電効率を有するが、安定的に発電するには燃料電池の動作温度が７００〜１０００℃に達する必要がある。したがって、燃料電池を停止させて温度が低下した後に燃料電池を再起動した場合は動作温度が安定した発電が可能な域に達するまでに時間がかかる。
【０００３】
このようなＳＯＦＣの特性から、ＳＯＦＣによって自家発電と給湯が可能なエネファーム（登録商標）では、いったん装置を作動させたら、燃料である都市ガス又はＬＰＧ（液化石油ガス）の供給が続く限り装置の作動を継続することが一般的である。
【０００４】
しかしながら、住宅に供給されるガスを制御するガスメータは、所定の時間以上連続したガスの供給を検知すると、ガス漏れなどの異常事態の蓋然性があるとして住宅へのガスの供給を遮断する制御を行う。高温で作動中のＳＯＦＣはガスの供給が突然断たれると装置の故障等の障害を発生させるおそれがあるので、ガスメータによるガスの供給の中断を回避する必要があった。
【０００５】
例えば、特許文献１に記載の先行技術では、燃料電池が所定時間動作できるだけのガスを予め蓄えておく燃料バッファを備え、ガスメータによってガスの供給が停止されるのを防ぐために燃料電池システムの燃料弁を２秒間遮断してガスの流量を変化させてガスメータのガス漏れ検知をリセットさせると共に、燃料弁を遮断している間は燃料バッファに蓄えられているガスによって燃料電池の動作を継続させる燃料電池発電システムが提案されている。
【先行技術文献】
【特許文献】
【０００６】
【特許文献１】特開２０１０−１７０９１３号公報
【発明の概要】
【発明が解決しようとする課題】
【０００７】
しかしながら、特許文献１に記載の技術は、ガスの供給が連続して１０時間継続して流量に３％以上の変動がない場合にガスメータがガスの供給を停止する場合に対応したものである。特許文献１に記載の技術は、ガスの供給が連続して３０日継続して１時間以上の流量がない状態が検出できない際に、ガスの供給が停止される場合には、タイマーで燃料電池を自動的に１日停止させるものの、停止させる時間帯でのガスの消費量及び消費電力量を考慮していない。
【０００８】
上述のような燃料電池を自動的に１日停止させるのは、燃料電池以外のガス機器（給湯器やガスコンロなど）は２４時間以上連続して運転される可能性は極めて低いので、燃料電池が１日（２４時間）停止していれば、その間にガス機器が使用されずガスの供給が１時間以上流量のない状態をとることができ、ガスメータのガス漏れ検知をリセットすることができるからである。
【０００９】
また、消費電力量が多い時間帯で燃料電池を停止させると、住宅で必要とされる電力を燃料電池で賄えなくなり、燃料電池を設置しているにもかかわらず商用電力からの買電量が多くなってしまうという問題点があった。
【００１０】
本発明は、上記事実を考慮して成されたもので、ガスが消費されている時間帯又は消費電力量が多い時間帯での燃料電池の停止を回避する燃料電池発電システムを提供することを目的とする。
【課題を解決するための手段】
【００１１】
上記課題を解決するための請求項１の発明は、系統電力が供給される住宅に設置され、前記住宅に供給される可燃性のガスを燃料とする燃料電池と、前記住宅で消費される電力及びガスを検知する検知手段と、前記検知手段が検知した電力の消費量及びガスの消費量を電力及びガスが消費された年月日時と共に累積的に記憶する記憶手段と、前記記憶手段に累積的に記憶されている電力の消費量及びガスの消費量並びに電力及びガスが消費された年月日時に基づいて電力の消費量が少なくなる時又はガスの消費がなくなる時を各々複数予測する予測手段と、前記予測された複数の時を表示する表示手段と、前記表示手段に表示された複数の時から１つの時を選択する操作が可能な入力手段と、前記入力手段によって選択された時で前記燃料電池を停止させ、該停止後に前記燃料電池を作動させる制御手段と、を備える。
【００１２】
請求項１に記載の発明によれば、予測された電力の消費量が少なくなる時又はガスの消費がなくなる時に燃料電池を停止させ、該停止後に前記燃料電池を作動させることができる。
【００１３】
請求項２の発明は、請求項１に記載の発明において、前記制御手段は、前記入力手段によって選択された時で前記燃料電池を停止させた後、該停止後から所定の時間の経過後に前記燃料電池を作動させる。
【００１４】
請求項２に記載の発明によれば、電力の消費量が少なくなる時に燃料電池を停止させた後に、所定の時間の経過後に燃料電池の作動を開始できる。
【００１５】
請求項３の発明は、請求項２に記載の発明において、前記制御手段は、前記入力手段によってガスの消費がなくなる時が選択され、該選択された時で前記燃料電池を停止させた後、前記所定の時間の経過前に前記リセット信号を受信した場合に前記燃料電池を作動させる。
【００１６】
請求項３に記載の発明によれば、ガスの消費がなくなる時に燃料電池を停止し、ガスの供給が再開された時に燃料電池の作動を開始できる。
【００１７】
請求項４の発明は、請求項３に記載の発明において、前記表示手段は、前記予め定められた期間連続して燃料電池が運転された場合に前記燃料電池を停止するように設定される自動停止予定日を表示し、前記予測手段は、前記ガスの供給を停止する時よりも前の時を前記電力の消費量又はガスの消費がなくなる時として予測する。
【００１８】
請求項４に記載の発明によれば、ガスの供給が停止される場合の事前における電力の消費量が少なくなる時又はガスの消費がなくなる時に燃料電池を停止させ、該停止後に前記燃料電池を作動させることができる。
【００１９】
請求項５の発明は、請求項３又は４に記載の発明において、前記制御手段は、前記入力手段によって電力の消費量又はガスの消費がなくなる時が選択されない場合には、前記自動停止日に前記燃料電池を停止させる。
【００２０】
請求項５に記載の発明によれば、ガスの供給が停止される時に燃料電池を停止できる。
【発明の効果】
【００２１】
以上説明したように、請求項１に記載の発明は、予測された電力の消費量が少なくなる時又はガスの消費がなくなる時に燃料電池を停止させ、該停止後に前記燃料電池を作動させることにより、ガスが消費されている時間帯又は消費電力量が多い時間帯での燃料電池の停止を回避するという効果を有する。
【００２２】
請求項２に記載の発明によれば、電力の消費量が少なくなる時に燃料電池を停止させた後に、所定の時間の経過後に燃料電池の作動を開始するので、消費電力量が多い時間帯での燃料電池の停止を回避するという効果を有する。
【００２３】
請求項３に記載の発明によれば、ガスの消費がなくなる時に燃料電池を停止し、ガスの供給が再開された時に燃料電池の作動を開始するので、ガスが消費されている時間帯での燃料電池の停止を回避するという効果を有する。
【００２４】
請求項４に記載の発明によれば、ガスの供給が停止される時よりも前に電力の消費量が少なくなる時又はガスの消費がなくなる時に燃料電池を停止させ、該停止後に前記燃料電池を作動させることにより、ガスの供給の停止を回避しつつ、ガスが消費されている時間帯又は消費電力量が多い時間帯での燃料電池の停止を回避するという効果を有する。
【００２５】
請求項５に記載の発明によれば、ガスの供給が停止さる時に燃料電池を停止できるという効果を有する。
【図面の簡単な説明】
【００２６】
【図１】本発明の実施の形態に係る燃料電池発電システムの一例を示す概略図である。
【図２】本発明の実施の形態に係る燃料電池発電システムにおけるＨＥＭＳの概略構成を示すブロック図である。
【図３】本発明の実施の形態に係る燃料電池発電システムにおけるＨＥＭＳの処理の一例を示すフローチャートである。
【図４】本発明の実施の形態に係る燃料電池発電システムにおけるＳＯＦＣの自動停止予定日時の候補の表示の一例を示す図である。
【図５】本発明の実施の形態に係る燃料電池発電システムにおけるガスの使用履歴から停止予定の日時を予測する処理の一例を示すフローチャートである。
【図６】本発明の実施の形態におけるガスの消費量の推移の一例を示す図である。
【図７】本発明の実施の形態に係る燃料電池発電システムにおける電力の使用履歴から停止予定の日を算出する処理の一例を示すフローチャートである。
【図８】本発明の実施の形態における消費電力量の推移の一例を示す図である。
【発明を実施するための形態】
【００２７】
以下、図面を参照して本発明の実施の形態の一例を詳細に説明する。図１は、本発明の実施の形態に係る燃料電池発電システムの一例を示す概略図である。
【００２８】
本実施の形態では、系統電力１２からの電力が、主幹ブレーカー１００を介して住宅１０の分電盤１４に供給されている。
【００２９】
主幹ブレーカー１００の系統電力側には、系統電力１２から供給される電力の電流値を検知する主幹ブレーカー電流センサ１２０が設けられている。
【００３０】
また、分電盤１４には、ＳＯＦＣ７０が発電した電力が燃料電池用ブレーカー１０４を介して供給されている。ＳＯＦＣ７０から分電盤１４に供給される電力の電流値は燃料電池電流センサ１２４によって検知可能である。
【００３１】
ＳＯＦＣ７０には、ＳＯＦＣ７０が発電した直流を分電盤１４から家電機器３４に供給される交流（例えば、１００Ｖ、５０Ｈｚ）に変換可能なインバータ等の変換手段（図示せず）が設けられている。
【００３２】
ＳＯＦＣ７０には、燃料である可燃性のガスが供給されている。また、ＳＯＦＣ７０が発電の廃熱で水道水を加熱するエネファーム（登録商標）の場合には、水道水も供給される。供給された水道水はＳＯＦＣ７０が作動した時に発生した熱で加熱され、貯湯タンク７２に蓄えられる。ガスは調理器具等のガス器具７８にも供給されており、ガス器具７８の制御もＨＥＭＳ３０によって可能である。
【００３３】
系統電力１２及びＳＯＦＣ７０から分電盤１４に供給された電力は、電力負荷手段である住設機器３２及び家電機器３４に分岐回路２０Ｃ、２０Ｂを介して各々供給される。なお、分岐回路２０Ａは、ＳＯＦＣ７０を起動させる電力を供給するためのものである。
【００３４】
分岐回路２０Ａ〜２０Ｃには分岐回路２０Ａ〜２０Ｃの電流値を計測する電流センサ２２Ａ〜２２Ｃが各々設けられている。電流センサ２２Ａ〜２２Ｃからの情報線は、主幹ブレーカー電流センサ１２０及び燃料電池電流センサ１２４からの情報線とＨＥＭＳ３０が分電盤１４を制御するための情報線と共にＨＥＭＳ３０に接続されている。
【００３５】
なお、図１において破線は計測データ又は制御情報が流れる情報線であるとする。
【００３６】
分電盤１４の分岐回路２０Ａ〜２０Ｃには、分岐回路２０Ａ〜２０Ｃをオン状態又はオフ状態に切り替えるための分岐ブレーカー２４Ａ〜２４Ｃが各々設けられ、分岐ブレーカー２４Ａ〜２４Ｃは、ＨＥＭＳ３０によって制御される。
【００３７】
なお、図１では、記載の簡略化のために分岐回路は３系統のみ記載しているが、本実施の形態では３系統以上でも３系統以下でもよく、分岐回路の本数に特段の限定はない。
【００３８】
また、ＨＥＭＳ３０は、ＳＯＦＣ７０等に供給されるガスの流量を計測するガスメータ１３２及び水道の流量を計測する水道メータ１３０と接続されており、ガスの流量及び水道の流量の情報を取得可能である。また、ガスメータ１３２から下流側のガスの供給路には、ガスメータ１３２から指令によって開閉が可能な電磁弁１３４が設けられている。ガスメータ１３２は、長期間ガスが使用され続けているような場合に、電磁弁１３４を制御してＳＯＦＣ７０及びガス器具７８へのガスの供給を停止する。
【００３９】
図２は、本実施の形態に係る燃料電池発電システムに係るＨＥＭＳ３０の概略構成を示すブロック図である。
【００４０】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００４１】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００４２】
表示部４６には、家電機器３４等の電力負荷手段の消費電力量、水道メータ１３０が検知した水道水の供給量、ガスメータ１３２が検知したガスの供給量、ＳＯＦＣ７０による発電量、ＳＯＦＣ７０の次の自動停止予定日時の候補等が表示可能である。一般にガスメータ１３２は、ガスが予め定められた期間以上連続して供給されている場合にガスの供給を停止するので、ＳＯＦＣ７０はガスの供給が停止するのを防ぐために予め定められた期間よりも前に自動的に動作を停止してガスの仕様がない状態をとるようにしている。本実施の形態では、前回ＳＯＦＣ７０を停止したときから予め定められた期間後の時間よりも前の日時を自動停止予定日時の候補とし、表示部４６に表示する。なお、予め定められた期間はガスメータ１３２の仕様によるが、多くの場合３０日である。
【００４３】
家電機器３４の消費電力量は電流センサ２２Ｂが検知した電流値から、住設機器３２の消費電力は電流センサ２２Ｃが検知した電流値から算出可能である。また、ＳＯＦＣ７０の発電量は、燃料電池電流センサ１２４が検知した電流値に基づいて算出可能である。
【００４４】
分電盤１４から電力負荷手段に供給される電力及びＳＯＦＣ７０から供給される電力の電圧は略１００Ｖなので、本実施の形態では各電流センサが検知した電流値に１００を乗算することで、電力量を算出可能である。しかしながら、電圧の変動が大きい分岐回路では、別途電圧を測定する手段を設けてもよい。
【００４５】
メモリ５０には、分岐ブレーカー２４Ａ〜２４Ｃを制御するプログラム、ＳＯＦＣ７０を制御するプログラム及びこれらのプログラムを実行するための各種情報等が記憶されている。
【００４６】
ＨＥＭＳ３０は、メモリ５０に記憶されたプログラムをＲＡＭ４０等に展開してＣＰＵ３６で実行することにより、住宅１０へ供給する電力の制御等の各種制御を行うようになっている。
【００４７】
さらに、入出力ポート４２には、分電盤１４、ＳＯＦＣ７０、ガス器具７８、水道メータ１３０及びガスメータ１３２等が接続されている。
【００４８】
本実施の形態では、ＨＥＭＳ３０は、電力のみならず水道メータ１３０及びガスメータ１３２が各々検知した水道の流量及びガスの流量を検知した年月日時と対応させてメモリ５０に累積的に記憶する。また、ＳＯＦＣ７０の稼働の履歴もメモリ５０に記憶する。
【００４９】
続いて、本実施の形態に係るＨＥＭＳ３０の制御について説明する。図３は、本実施の形態に係る燃料電池発電システムにおけるＨＥＭＳの処理の一例を示すフローチャートである。
【００５０】
ステップ３００では、ガスメータ１３２が検知したガスの流量に基づいた住宅１０におおけるガスの使用履歴から、ガスの消費がなくなる年月日時を予測する。当該予測の処理についての詳細は、図５を用いて後述する。
【００５１】
ステップ３０２では、電流センサ２２Ａ〜２３Ａが検知した電力量に基づいた住宅１０における電力の使用履歴から、消費電力量が少なくなる年月日を予測する。当該予測の処理についての詳細は、図７を用いて後述する。なお、ＳＯＦＣ７０を停止させ、自動復帰させるには、一度、ＳＯＦＣ７０の装置の温度を常温まで下げる冷温停止をさせる必要があり、かかる場合には、停止から自動復帰まで略２４時間を要する。したがって、ステップ３０２における消費電力量が少なくなる時は、時単位ではなく、日単位で予測する。
【００５２】
ステップ３０４では、表示部４６にガスの消費がなくなる年月日時及び消費電力量が少なくなる年月日をＳＯＦＣ７０の自動停止予定日時の候補として表示する。図４は、本実施の形態に係る燃料電池発電システムにおけるＳＯＦＣ７０の自動停止予定日時の候補の表示の一例を示す図である。ユーザは、表示された候補からＳＯＦＣ７０を自動停止させたい日時を選択し、選択した日時でよければ「ＯＫ」をタッチして選択した日時を確定する。
【００５３】
ステップ３０６では、停止予定日時が所定の時間内に設定されたか否かが判定され、肯定判定の場合は、ステップ３０８でユーザが設定した停止予定日はガスの消費がなくなる場合か否かが判定される。所定の時間は任意だが、本実施の形態では一例として３０分とする。
【００５４】
ステップ３０８で肯定判定の場合又はステップ３０６で否定判定の場合は、ステップ３１０で、ガスの消費がなくなる年月日時の１２時間前にＳＯＦＣ７０の停止処理を開始する。１２時間前から停止処理を開始するのは、高温で動作するＳＯＦＣ７０を冷温停止させるには１２時間程度の時間を要するためである。
【００５５】
ステップ３１２では、ＳＯＦＣ７０が停止して常温にまで下がったか否かが判定され、肯定判定の場合は、ステップ３１４において、冷温停止から１時間経過したか否かが判定される。
【００５６】
ステップ３１２で肯定判定の場合は、ステップ３１４において１時間経過したか否かが判定される。ステップ３１４で肯定判定の場合は、ガスメータ１３２が所定の時間ガスの流量がなかったことを検知して、ガスが連続して供給された時間をリセットしてガスの供給を再開することを示すリセット信号をガスメータ１３２から受信したか否かを判定する。
【００５７】
ステップ３１６で肯定判定の場合は、ステップ３１８でＳＯＦＣ７０を自動復帰させて処理を終了する。
【００５８】
ステップ３０８で否定判定の場合は、ステップ３２０で消費電力量が少なくなる年月日の１２時間前に停止処理を開始する。  ステップ３２２では、ＳＯＦＣ７０が停止して常温にまで下がったか否かが判定され、肯定判定の場合は、ステップ３２４において、冷温停止から１時間経過したか否かが判定される。
【００５９】
ステップ３２４で肯定判定の場合は、ステップ３１８でＳＯＦＣ７０を自動復帰させて処理を終了する。
【００６０】
ステップ３１２でＳＯＦＣ７０を停止させる時間は、ガスメータ１３２の仕様にもよるが、本実施の形態では１時間とする。
【００６１】
なお、本実施の形態では、ガスの消費がなくなる日時又は消費電力量が少なくなる日の１２時間前にＳＯＦＣ７０の停止処理を開始したが、ガスの消費がなくなる日時又は消費電力量が少なくなる日の開始時にＳＯＦＣ７０の停止処理を開始してもよい。かかる場合は、停止後から所定の時間の経過後にＳＯＦＣ７０を作動させる。所定の時間は、一例として２４時間とする。
【００６２】
また、ステップ３０８で停止予定日時が設定されなかった場合は、ガスメータ１３２がガスの供給を停止する時にＳＯＦＣ７０を停止させ、停止後にガスメータ１３２からリセット信号を受信した時にＳＯＦＣ７０を作動させてもよい。前述のようにＨＥＭＳは、ガスの供給が開始された時から予め定められた期間後の時間をガスメータ１３２がガスの供給を停止する時として認識するので、かかる時又はかかる時よりも１〜１２時間ほど前にＳＯＦＣ７０を停止させ、ガスメータ１３２からリセット信号を受信した時にＳＯＦＣ７０の作動を再開する。
【００６３】
また、ＳＯＦＣ７０が停止した後に、１２時間又は２４時間等の所定の時間が経過する前にガスメータ１３２からリセット信号を受信した場合は、ＳＯＦＣ７０を作動させてもよい。
【００６４】
図５は、本実施の形態に係る燃料電池発電システムにおけるガスの使用履歴から停止予定の日時を予測する処理の一例を示すフローチャートであり、図３のステップ３００における処理を詳細に示したものである。
【００６５】
ステップ５００では、ガスの使用履歴からガスの消費量が極小値になっている年月日時を抽出する。図６は、本実施の形態におけるガスの消費量又は消費電力量の推移の一例を示す図である。図６では、年月日時１４０Ａ、１４０Ｂ、１４０Ｃ、１４０Ｄにおいて消費量が極小値である０となっている。
【００６６】
ステップ５０２では、極小値をとる年月日時の間隔を抽出する。図６では、年月日時１４０Ａと１４０Ｂとの間隔、年月日時１４０Ｂと１４０Ｃとの間隔、及び年月日時１４０Ｃと１４０Ｄとの間隔を各々抽出する。
【００６７】
ステップ５０４では、抽出した間隔の平均値を算出し、当該平均値をガスの消費がなくなる周期とする。
【００６８】
ステップ５０６では、ガスの消費量が極小となっている直近の年月日時にステップ５０４で算出した周期のＮ倍を加算してガスの消費がなくなる予測日を算出する。Ｎは、Ｎ＝０、１、２、３・・・、となる０を含む正の整数である。
【００６９】
ステップ５０６において、Ｎを大きくすれば停止予定の候補を後の日時に設定できる。しかしながら、ガスメータ１３２は３０日以上連続してガスが供給されていることを感知した場合にガスの供給を停止させる場合が多い。
【００７０】
ステップ５０８では、ＨＥＭＳ３０はメモリ５０に記憶したＳＯＦＣ７０の稼働の履歴を参照して、ステップ５０６で算出した日時のうち直近でＳＯＦＣ７０を自動停止させた時から３０日以内のものを抽出して処理を終了する。ガスメータ１３２はガスの供給が開始された時から予め定められた期間の経過後にガスの供給を停止するので、ステップ５０６で算出した日時のうち、ガスの供給が停止される前までものを自動停止予定日時の候補とすべきだからである。所定の期間は一例として３０日であるが、ガスメータ１３２の仕様によって適宜変更可能である。ステップ５０８で算出した予測日は、図４に示した自動停止予定日時の候補として表示部４６に表示される。
【００７１】
図７は、本実施の形態に係る燃料電池発電システムにおける電力の使用履歴から停止予定の日時を予測する処理の一例を示すフローチャートであり、図３のステップ３０２における処理を詳細に示したものである。
【００７２】
ステップ７００では、電力の使用履歴から消費電力量が極小値になっている年月日を抽出する。電力の使用履歴から停止予定を予測する処理では、ガスの場合と異なり、日の単位で時間を扱う。
【００７３】
ステップ７０２では、極小値をとる年月日の間隔を抽出する。例えば、図８では、年月日１４１Ａと１４１Ｂとの間隔、年月日１４１Ｂと１４１Ｃとの間隔、及び年月日１４１Ｃと１４１Ｄとの間隔を各々抽出する。図８は、本実施の形態における消費電力量の推移の一例を示す図である。
【００７４】
ステップ７０４では、抽出した間隔の平均値を算出し、当該平均値を消費電力量が少なくなる周期とする。
【００７５】
ステップ７０６では、消費電力量が極小となっている直近の年月日にステップ７０４で算出した周期のＮ倍を加算して消費電力量が少なくなる予測日を算出する。Ｎは、Ｎ＝０、１、２、３・・・、となる０を含む正の整数である。
【００７６】
ステップ７０８では、メモリ５０に記憶したＳＯＦＣ７０の稼働の履歴を参照して、ステップ７０６で算出した年月日のうち直近でＳＯＦＣ７０を自動停止させた時から３０日以内のものを抽出して処理を終了する。ガスメータ１３２はガスの供給が開始された時から予め定められた期間の経過後にガスの供給を停止するので、ステップ５０６で算出した日時のうち、ガスの供給が停止される前までものを自動停止予定日時の候補とすべきだからである。所定の期間は一例として３０日であるが、ガスメータ１３２の仕様によって適宜変更可能である。ステップ７０８で算出した予測日は、図４に示した自動停止予定日時の候補として表示部４６に表示される。
【００７７】
以上説明したように、本実施の形態によれば、ガスの使用量又は消費電力量が少ない時を予測し、予測した時にＳＯＦＣ７０を停止させることにより、ガスの消費量又は消費電力量が多い時間帯でのＳＯＦＣ７０の停止を回避することができる。
【符号の説明】
【００７８】
１０  住宅
１２  系統電力
１４  分電盤
２２Ａ、２２Ｂ、２２Ｃ  電流センサ
３２  住設機器
３４  家電機器
３６  ＣＰＵ
３８  ＲＯＭ
４０  ＲＡＭ
４６  表示部
４８  操作部
５０  メモリ
７０  ＳＯＦＣ
１３２  ガスメータ
年月日時  １４０Ａ、１４０Ｂ、１４０Ｃ、１４０Ｄ
年月日  １４１Ａ、１４１Ｂ、１４１Ｃ、１４１Ｄ
【図１】
2014183016.tif 000003
【図２】
2014183016.tif 000004
【図３】
2014183016.tif 000005
【図４】
2014183016.tif 000006
【図５】
2014183016.tif 000007
【図６】
2014183016.tif 000008
【図７】
2014183016.tif 000009
【図８】
2014183016.tif 000010